(57)【要約】【課題】要求された処理風量に適合させ易い構造を有する空気清浄装置を提供する。【解決手段】この空気清浄装置１０は、空気中に含まれる分散粒子を分離液体６０により除去する。空気清浄装置は、分散粒子が混合した汚れた空気５１を取り込む空気進入口および分散粒子を除去した清浄空気５２を排出する空気出口２２を備え底部に分離液体を収容したフィルタ箱２０と、内部に空気通路３１が形成された中空筒形状を有する複数個のバブリングコア３０と、複数個のバブリングコアを配列することによって隣り合うバブリングコア同士の間に形成され汚れた空気が流れる吸気通路４０と、を有している。バブリングコアのそれぞれは、下端部に設けられ吸気通路を流れる汚れた空気を分離液体と気液接触させつつ空気通路に導入する導入口３２と、上端部に設けられ空気通路から空気出口に向けて空気を導出する導出口３３と、を備えている。【選択図】図２
2009262068.tif 000002
【特許請求の範囲】
【請求項１】
空気中に含まれる分散粒子を分離液体（６０）により除去する空気清浄装置であって、
分散粒子が混合した汚れた空気（５１）を取り込む空気進入口（２１）および分散粒子を除去した清浄空気（５２）を排出する空気出口（２２）を備え、底部に分離液体（６０）を収容したフィルタ箱（２０）と、
内部に空気通路（３１）が形成された中空筒形状を有する複数個のバブリングコア（３０）と、
複数個の前記バブリングコア（３０）を配列することによって隣り合う前記バブリングコア（３０）同士の間に形成され、前記汚れた空気（５１）が流れる吸気通路（４０）と、を有し、
前記バブリングコア（３０）のそれぞれは、下端部に設けられ前記吸気通路（４０）を流れる前記汚れた空気（５１）を前記分離液体（６０）と気液接触させつつ前記空気通路（３１）に導入する導入口（３２）と、上端部に設けられ前記空気通路（３１）から前記空気出口（２２）に向けて空気を導出する導出口（３３）と、を備えてなる空気清浄装置。
【請求項２】
前記バブリングコア（３０）のそれぞれは、前記吸気通路（４０）が伸びる方向に沿って伸びて内部の前記空気通路（３１）を２分するガイドプレート（３６）を有し、
前記ガイドプレート（３６）は、その下端縁が前記分離液体（６０）に浸漬している請求項１に記載の空気清浄装置。
【請求項３】
前記バブリングコア（３０）のそれぞれは、前記ガイドプレート（３６）に対して交差する方向に伸びて内部の前記空気通路（３１）をさらに分割する間仕切りプレート（３７）を有している請求項２に記載の空気清浄装置。
【請求項４】
前記バブリングコア（３０）のそれぞれは、前記導出口（３３）に設けられたフランジ部（３８）を有し、
前記フィルタ箱（２０）は、前記バブリングコア（３０）の前記フランジ部（３８）を支持する支持枠（２７）を有し、
前記バブリングコア（３０）の前記フランジ部（３８）および前記フィルタ箱（２０）の前記支持枠（２７）によって、前記吸気通路（４０）と前記空気出口（２２）とが遮断されている請求項１〜請求項３のいずれか１つに記載の空気清浄装置。
【請求項５】
前記吸気通路（４０）は、前記汚れた空気（５１）を一の方向（５３）に沿って流すように吸気口（４１）が設けられ、
前記バブリングコア（３０）の前記導入口（３２）の高さが、前記分離液体（６０）の液面が前記一の方向（５３）に沿って高くなるのに応じて高くなっている請求項１〜請求項４のいずれか１つに記載の空気清浄装置。
【請求項６】
前記バブリングコア（３０）の前記導入口（３２）の高さを前記一の方向（５３）に沿って高くする寸法を調整自在である請求項５に記載の空気清浄装置。
【請求項７】
前記バブリングコア（３０）の前記導出口（３３）と前記フィルタ箱（２０）の前記空気出口（２２）との間に配置され、巻き上げられた前記分離液体（６０）の液滴を除去する多孔部材（７０）をさらに有している請求項１〜請求項６のいずれか１つに記載の空気清浄装置。
【発明の詳細な説明】
【技術分野】
【０００１】
本発明は、空気中に含まれる油脂や臭気などの分散粒子を分離液体により除去する空気清浄装置に関する。
【背景技術】
【０００２】
本願出願人は、防火性および清掃性に優れ、維持管理費用も低減でき、しかも油や臭気、塵埃などの捕捉を安定的にかつ安全に行なうことができる汎用性に富んだ空気清浄システムを提案した（特許文献１を参照）。
【０００３】
この空気清浄システムは分離液体によって空気中に含まれる分散粒子を除去するフィルタ装置を有し、厨房に適用した場合には油分が分離液体中に捕捉されるため、当該フィルタ装置内に付着し堆積する油分が減少し、メンテナンスサイクルを延ばすことが可能となっている。
【特許文献１】実用新案登録第２５３０５９２号公報
【発明の開示】
【発明が解決しようとする課題】
【０００４】
この種の空気清浄装置にあっては、要求される処理風量が設置する場所によって種々異なることから、要求された処理風量に適合させ易い構造を有していることが期待されている。
【０００５】
そこで、本発明の目的は、要求された処理風量に適合させ易い構造を有する空気清浄装置を提供することにある。
【課題を解決するための手段】
【０００６】
上記目的を達成する本発明は、空気中に含まれる分散粒子を分離液体により除去する空気清浄装置であって、
分散粒子が混合した汚れた空気を取り込む空気進入口および分散粒子を除去した清浄空気を排出する空気出口を備え、底部に分離液体を収容したフィルタ箱と、
内部に空気通路が形成された中空筒形状を有する複数個のバブリングコアと、
複数個の前記バブリングコアを配列することによって隣り合う前記バブリングコア同士の間に形成され、前記汚れた空気が流れる吸気通路と、を有し、
前記バブリングコアのそれぞれは、下端部に設けられ前記吸気通路を流れる前記汚れた空気を前記分離液体と気液接触させつつ前記空気通路に導入する導入口と、上端部に設けられ前記空気通路から前記空気出口に向けて空気を導出する導出口と、を備えてなる空気清浄装置である。
【発明の効果】
【０００７】
本発明によれば、バブリングコアを配列する本数を変えることにより、吸気通路の個数が変わり、処理し得る風量を増減することができることから、要求された処理風量に適合させ易い構造を有する空気清浄装置を提供することが可能となる。
【発明を実施するための最良の形態】
【０００８】
以下、図面を参照して、本発明の実施の形態を説明する。
【０００９】
図１は、本発明の空気清浄装置１０を厨房の排気を清浄するために適用した実施の形態を示す全体構成図である。図２および図３は、図１に示される空気清浄装置１０の作動状
態を示す正面から見た断面図および側面から見た断面図、図４は、空気清浄装置１０を示す斜視図、図５は、配列された複数個のバブリングコア３０を、空気の流れを表す矢印とともに示す斜視図、図６は、バブリングコア３０を示す斜視図、図７（Ａ）（Ｂ）は、バブリングコア３０を示す上面図および正面図である。図８（Ａ）（Ｂ）は、分離液体の液面にレベル差が生じる様子を示す断面図、図９は、バブリングコア３０の導入口３２の高さが、分離液体の液面が一の方向に沿って高くなるのに応じて高くなっている様子を示す断面図である。
【００１０】
図１を参照して、厨房の天井１００に、空気清浄装置１０が設けられている。空気清浄装置１０に分離液体６０を供給すると共に分散粒子を捕捉した分離液体６０を排出する給排水装置１０２が設けられている。この実施の形態にあっては、調理設備１０３から発生する油脂や臭気などが分散粒子に相当する。また、分離液体６０は、油分を溶解する一方、着火しないものが理想的であり、本実施の形態では身近な液体として水、無発泡性洗剤水溶液などを使用している。なお、以下の説明では、分離液体６０を水と表し、分散粒子を油分と表す。
【００１１】
空気清浄装置１０は、油分が混合した汚れた空気５１を取り入れる空気進入口２１と、油分を除去した清浄空気５２を排出する空気出口２２とを有している。空気出口２２には、ファン１０４を備えた排気ダクト１０５が連通している。ファン１０４を稼働すると、調理設備１０３から排出された汚れた空気５１が空気進入口２１から空気清浄装置１０内に吸い込まれ、油分が水６０により捕捉される。油分を除去した清浄空気５２は、空気出口２２を通って排気ダクト１０５に取り込まれ、吹出口１０６から屋外に吹き出される。一方、給排水装置１０２は、水６０を空気清浄装置１０に供給する給水系統１１０と、空気清浄装置１０内の水６０を排水する排水系統１２０とを有している。
【００１２】
図２および図３を参照して、空気清浄装置１０は、概説すれば、油分が混合した汚れた空気５１を取り込む空気進入口２１および油分を除去した清浄空気５２を排出する空気出口２２を備え底部に水６０を収容したフィルタ箱２０と、内部に空気通路３１が形成された中空筒形状を有する複数個のバブリングコア３０と、複数個のバブリングコア３０を配列することによって隣り合うバブリングコア３０同士の間に形成され汚れた空気５１が流れる吸気通路４０と、を有している。バブリングコア３０のそれぞれは、下端部に設けられ吸気通路４０を流れる汚れた空気５１を水６０と気液接触させつつ空気通路３１に導入する導入口３２と、上端部に設けられ空気通路３１から空気出口２２に向けて空気を導出する導出口３３と、を備えている。
【００１３】
図２においては、６本のバブリングコア３０を配列することによって、隣り合うバブリングコア３０同士の間に５つの吸気通路４０を形成している。さらに、両端に位置するバブリングコア３０とフィルタ箱２０の壁面との間のそれぞれにも、吸気通路４０を形成している。吸気通路４０を流れる汚れた空気５１と水６０とが接触する領域が、複数個のバブリングコア３０の配列方向に沿って複数箇所に形成されている。この空気清浄装置１０の構造では、バブリングコア３０を配列する本数を変えることにより、吸気通路４０の個数が変わり、処理し得る風量を増減することができる。また、個々のバブリングコア３０の長手方向（図３において左右方向）の寸法を変えることにより、導入口３２の長さが変わり、処理し得る風量を増減することができる。したがって、バブリングコア３０を配列する本数と、バブリングコア３０の長手方向の寸法との組み合わせを適宜選択することによって、要求された処理風量に簡単に適合させることが可能となる。以下、詳述する。
【００１４】
図４を参照して、フィルタ箱２０は、略箱形状をなし、前壁２３に空気進入口２１が形成され、上壁２４に空気出口２２が形成されている。空気進入口２１には一次側ダクト２５が接続され、空気出口２２には二次側ダクト２６が接続されている。二次側ダクト２６
は排気ダクト１０５に接続されている。汚れた空気５１は、一次側ダクト２５および空気進入口２１を通ってフィルタ箱２０内に取り込まれる。清浄空気５２は、フィルタ箱２０内から、空気出口２２、二次側ダクト２６、および排気ダクト１０５を通って屋外に吹き出される。フィルタ箱２０は、図示しない取り付け治具を介して、天井１００に固定されている。
【００１５】
図５を参照して、バブリングコア３０のそれぞれは、下部に比べて上部がやや広がった中空筒形状を有している。側壁３４の下端部に導入口３２が設けられている、導入口３２は、半円弧形状が連続した形状を有している。複数個のバブリングコア３０は、前壁３５をフィルタ箱２０の空気進入口２１に向けて配列されている。この配列によって、隣り合うバブリングコア３０同士の間には、空気進入口２１に向かって開口し、汚れた空気５１が流れる吸気通路４０が形成される。隣り合うバブリングコア３０の前壁３５同士の間に、吸気通路４０の吸気口４１が形成される。
【００１６】
図６および図７をも参照して、バブリングコア３０のそれぞれは、吸気通路４０が伸びる方向に沿って伸びて内部の空気通路３１を２分するガイドプレート３６を有している。このガイドプレート３６は、その下端縁が水６０に浸漬している（図２を参照）。ガイドプレート３６を設けることによって、巻き上げた水６０および空気が上方にガイドされるので、気液の整流作用と水６０の泡化とを促進し、汚れた空気５１と水６０との接触を促進することができる。
【００１７】
バブリングコア３０のそれぞれはさらに、ガイドプレート３６に対して交差する方向に伸びて内部の空気通路３１をさらに分割する間仕切りプレート３７を有している。間仕切りプレート３７を設けることによって、バブリングコア３０の側壁３４が、吸気通路４０を流れる空気の風圧を受けて内側に押し曲げられることを防止している。
【００１８】
バブリングコア３０のそれぞれは、導出口３３に設けられたフランジ部３８を有している。一方、フィルタ箱２０は、バブリングコア３０のフランジ部３８を支持する支持枠２７を有している（図３および図５を参照）。バブリングコア３０のフランジ部３８およびフィルタ箱２０の支持枠２７によって、吸気通路４０と空気出口２２とが遮断されている。かかる構成によれば、フィルタ箱２０内への複数個のバブリングコア３０の組み付けが容易であり、また、バブリングコア３０を組み付けるだけで、吸気通路４０と空気出口２２とを遮断することができる。
【００１９】
支持枠２７は、例えば、平板に貫通孔２８を設けた形状を有している。図示しない固定部材によってバブリングコア３０のフランジ部３８を支持枠２７に押し付けることによって、個々のバブリングコア３０がフィルタ箱２０に固定される。バブリングコア３０のフランジ部３８を支持枠２７にボルトなどによって締結することによって、個々のバブリングコア３０をフィルタ箱２０に固定することもできる。また、支持枠２７とフランジ部３８との間にパッキンなどのシール部材（不図示）を設けることによって、吸気通路４０と空気出口２２との遮断をより確実なものとしても良い。
【００２０】
図８（Ａ）（Ｂ）を参照して、本実施形態の空気清浄装置１０にあっては、空気進入口２１がフィルタ箱２０の一側面にのみ設けられている。このため、吸気通路４０は、汚れた空気５１を一の方向５３（図において右方向）に沿って流すように吸気口４１が設けられている。図８（Ａ）に示すように、風量が少ないときには、水６０の液面にレベル差が生じることはない。しかしながら、図８（Ｂ）に示すように、風量が多くなると、吸気通路４０を流れる空気の動圧によって、水６０の液面が一の方向５３に沿って高くなる。液面にレベル差が生じると、液面とバブリングコア３０の導入口３２との間の距離が不均等になり、導入口３２における気液量のバランスが一の方向５３に沿って均等にならない。
気液接触による油分の除去が一の方向５３に沿ってばらつく結果として、空気清浄装置１０の能力が低下してしまう。
【００２１】
そこで、図９に示すように、本実施形態の空気清浄装置１０にあっては、バブリングコア３０の導入口３２の高さを、水６０の液面が一の方向５３に沿って高くなるのに応じて高くしている。風量が多くなって液面にレベル差が生じても、液面とバブリングコア３０の導入口３２との間の距離を均等に維持でき、空気清浄装置１０の能力の低下を抑制することができるからである。
【００２２】
図示例のバブリングコア３０は、導入口３２と導出口３３とが平行をなすように設けられている。したがって、フィルタ箱２０の支持枠２７を一の方向５３に沿う奥側（後壁２９側）を手前側（前壁２３側）よりも高い位置に配置することによって、バブリングコア３０の導入口３２の高さを水６０の液面が一の方向５３に沿って高くなるのに応じて高くできる。これとは逆に、フィルタ箱２０の支持枠２７を水平に配置し、導入口３２をその高さが一の方向５３に沿う奥側を手前側よりも高い位置となるように形成しておくことによっても、バブリングコア３０の導入口３２の高さを水６０の液面が一の方向５３に沿って高くなるのに応じて高くできる。
【００２３】
空気清浄装置１０の稼動時における液面のレベル差は、フィルタ箱２０の大きさや最大運転風量によって異なってくる。したがって、バブリングコア３０の導入口３２の高さを一の方向５３に沿って高くする寸法を調整自在とすることが好ましい。種々の仕様に対して、空気清浄装置１０の能力の低下を抑制できるからである。前記寸法を調節するためには、例えば、支持枠２７を係止するためのフックを、高さを調節してフィルタ箱２０の後壁２９に取り付ければ良い。前記寸法の調整は、段階的に可能であっても良いし、連続的に可能であっても良い。
【００２４】
さらに、空気清浄装置１０の稼動時における液面のレベル差は、風量が異なる運転モード（例えば、少風量モード、大風量モード）によっても異なってくる。したがって、バブリングコア３０の導入口３２の高さを一の方向５３に沿って高くする寸法を、風量に応じて可変制御しても良い。運転風量の変化に対して、空気清浄装置１０の能力の低下を一層抑制できるからである。前記寸法を可変制御するためには、例えば、バブリングコア３０の一の方向５３に沿う奥側を手前側よりも高い位置に持ち上げる昇降部材（不図示）を設け、風量に応じて昇降部材の作動量を制御すれば良い。昇降部材は、モータ、アクチュエータ、ソレノイド、リンク機構などを適宜組み合わせて構成することができる。昇降部材は、大風量モードのときには、少風量モードのときに比べて、バブリングコア３０の奥側を高い位置に持ち上げるように制御される。
【００２５】
図２を参照して、空気清浄装置１０はさらに、バブリングコア３０の導出口３３とフィルタ箱２０の空気出口２２との間に配置され、巻き上げられた分離液体６０の液滴つまり水滴を除去する多孔部材７０を有している。多孔部材７０は、例えば、パンチングメタルから構成されている。図示例では、隙間を隔てて多孔部材７０を２段にわたって配置している。水滴を一層除去するためである。水滴を除去するのは、多湿の空気が排気ダクト１０５に流下すると、排気ダクト１０５やファン１０４に錆を発生させる原因となるからである。また、多孔部材７０は、空気中に含まれる水滴の水切りの他にも、油など比較的比重の大きい分散粒子の再分離や、空気の整流などを行なう機能も有する。なお、多孔部材７０はパンチングメタルに限定されるものではなく、例えば、セラミックの発泡材料などのように多数の連続した孔を有する多孔質体から構成しても良い。
【００２６】
給排水装置１０２の排水系統１２０は、図２に示すように、フィルタ箱２０の底部の排水口１２１に接続された排水管１２２と、オーバーフロー管１２３とを有している。オー
バーフロー管１２３の流入口１２３ａは、ガイドプレート３６の下端よりも高い位置に設定されている。排水管１２２には電磁弁などからなる排水用開閉弁１２４が設けられ、この排水用開閉弁１２４よりも下流域でオーバーフロー管１２３が合流している。図１に示すように、排水中の油分を除去するために、排水系統１２０にはグリストラップ１２５が設けられ、油分除去後に排水溝１２６に排出している。
【００２７】
給水系統１１０は、図２に示すように、水道水配管１１１を有し、この水道水配管１１１には、フロート式給水弁１１２が設けられている。フロート式給水弁１１２は、フィルタ箱２０内の水位が所定水位よりも低下すると給水し、所定水位よりも高くなると給水を停止する。これにより、通常運転時には、バブリングコア３０のガイドプレート３６の下端が水６０に必ず浸漬した状態に維持されている。また、水道水配管１１１から分岐した給水管１１３には、電磁弁などからなる給水用開閉弁１１４が設けられている。清掃のためにフィルタ箱２０内の水６０を入れ替える場合などにあっては、給水用開閉弁１１４を開いて給水管１１３から水６０を供給しつつ、排水用開閉弁１２４を開いて排水管１２２から排水する。
【００２８】
図２を参照して、フロート式給水弁１１２およびオーバーフロー管１２３は、フィルタ箱２０内に区画された収納室８０に配置されている。収納室８０には、上限水位を検知するためのセンサ８１も配置されている。また、上段の多孔部材７０の出口側には、空気の温度を検知するためのセンサ８２も配置されている。これらセンサ８１、８２はコントローラ８３に接続され、各センサ８１、８２からの出力はコントローラ８３に入力される。コントローラ８３は、給水用開閉弁１１４および排水用開閉弁１２４に接続され、弁を開閉するための制御信号をそれぞれの開閉弁１１４、１２４に出力する。コントローラ８３は、上限水位を超える水位を検知したときには弁を開くための制御信号を排水用開閉弁１２４に出力する。コントローラ８３はまた、異常な高温を検知したときには、フィルタ箱２０内を降温するために、弁を開くための制御信号を給水用開閉弁１１４に出力する。コントローラ８３はまた、センサ８１、８２からの信号に基づいて所定の警告を発する。
【００２９】
次ぎに、作用を説明する。
【００３０】
フィルタ箱２０内の水位が所定高さに保たれた状態でファン１０４を作動させると、空気出口２２側の空気圧が空気進入口２１側の空気圧よりも低くなる。図２に示すように、吸気通路４０を流れる汚れた空気５１は、フィルタ箱２０内の水６０と気液接触して、水６０を巻き込み、吹き飛ばすようにして、バブリングコア３０の導入口３２を通って空気通路３１に達する。この状態をバブリングと称し、このバブリングの際に、汚れた空気５１に含まれていた油分や塵埃の大部分が分離されて水６０の中に捕捉される。バブリングの際に、空気中に含まれていた油臭や食材臭も効率よく脱臭される。このため、屋外に吹き出される空気が臭うことがなく、吹出口１０６が人通りの多い道路などに面していても、通行する者に不快感を与えることがない。
【００３１】
しかも、バブリングコア３０のガイドプレート３６によって、気液の整流作用と水６０の泡化とが促進されるので、汚れた空気５１と水６０との接触が進み、油分の捕捉や脱臭がいっそう促進される。
【００３２】
バブリングコア３０の導出口３３から出た空気が２段にわたる多孔部材７０を通過するとき、空気中に僅かに残った油分がさらに分離ないし除去される。これと同時に、空気の流れが整流化され、水面から飛散した水滴の水切りが行われる。空気の流れが整流化されることにより、風切り音の発生も防止される。このようにして油分が完全に除去された空気は、空気出口２２から排気ダクト１０５に流下し、吹出口１０６から屋外に吹き出される。
【００３３】
バブリングにより水中に捕捉された油や塵埃等は、水６０がオーバーフロー管１２３にオーバーフローするのに伴ってフィルタ箱２０から排出される。一部の水６０は、汚れた空気５１が有する熱によって蒸発する。一方、新しい水６０は、フロート式給水弁１１２から供給される。
【００３４】
捕捉した油分は水６０と一緒に排水管１２２を通って排出されるため、油分が空気清浄装置１０内に滞積したり、排気ダクト１０５の内面、ファン１０４および吹出口１０６に付着したりすることがない。このため、空気清浄装置１０の清掃が容易になり、排気ダクト１０５やファン１０４などの清掃が不要となる。また、油分が吹出口１０６から屋外に飛散することがないため、建物の外壁が汚れることがなく、壁面の清掃や修繕も不要となる。さらに、油分が空気清浄装置１０内に滞積せず、ファン１０４にも付着しないことから、油分の除去効率やファン１０４の排気効率が低下することがなく、空気清浄装置１０は長期に渡って安定的に稼働する。
【００３５】
さらに、厨房内の火炎が空気清浄装置１０に達しても、この火炎は水６０で遮断され、排気ダクト１０５に流入することがない。このようにして火炎が遮断され、また前述したように油分の滞積や付着がないことから、防火性が著しく向上することになる。また、空気清浄装置１０から排出される空気の温度は気液接触に伴って低下するので、排気ダクト１０５やファン１０４が高温になることがなく、これら排気ダクト１０５などの耐熱構造を簡素化することができる。
【００３６】
以上説明したように、本実施形態の空気清浄装置１０の構造では、バブリングコア３０を配列する本数を変えることにより、吸気通路４０の個数が変わり、処理し得る風量を増減することができる。また、個々のバブリングコア３０の長手方向の寸法を変えることにより、導入口３２の長さが変わり、処理し得る風量を増減することができる。したがって、バブリングコア３０を配列する本数と、バブリングコア３０の長手方向の寸法との組み合わせを適宜選択することによって、要求された処理風量に簡単に適合させることが可能となる。
【００３７】
バブリングコア３０に設けたガイドプレート３６によって、気液の整流作用と水６０の泡化とが促進されるので、油分の捕捉や脱臭を促進することができる。
【００３８】
バブリングコア３０に設けた間仕切りプレート３７によって、バブリングコア３０の側壁３４が、吸気通路４０を流れる空気の風圧を受けて内側に押し曲げられることを防止できる。
【００３９】
バブリングコア３０の導出口３３に設けたフランジ部３８を支持する支持枠２７をフィルタ箱２０に設ける構成によれば、フィルタ箱２０内への複数個のバブリングコア３０の組み付けを容易に行うことができる。また、バブリングコア３０を組み付けるだけで、吸気通路４０と空気出口２２とを遮断することができる。
【００４０】
バブリングコア３０の導入口３２の高さが、水６０の液面が一の方向５３に沿って高くなるのに応じて高くなっているので、風量が多くなって液面にレベル差が生じても、液面とバブリングコア３０の導入口３２との間の距離を均等に維持して、空気清浄装置１０の能力の低下を抑制することができる
バブリングコア３０の導入口３２の高さを一の方向５３に沿って高くする寸法を調整自在としているので、種々の仕様に対して、空気清浄装置１０の能力の低下を抑制することができる。
【００４１】
バブリングコア３０の導出口３３とフィルタ箱２０の空気出口２２との間に多孔部材７０を設けることによって、巻き上げられた水滴を除去し、多湿の清浄空気５２が空気出口２２を通って流下しないようにできる。また、多孔部材７０によって、油分を再分離し、空気の整流を行なうことができる。
【００４２】
図１０は、他の実施形態にかかる空気清浄装置１１を示す側面から見た断面図である。
【００４３】
上述した実施形態は、汚れた空気５１を一の方向５３に沿って流すように吸気口４１を設けた吸気通路４０を示したが、本発明はこの場合に限定されるものではない。図１０に示すように、空気進入口２１をフィルタ箱２０の向かい合う面、つまり前壁２３と後壁２９とに設け、汚れた空気５１を両側から流れ込むように両端に吸気口４１を設けた吸気通路４０とすることもできる。この構成のように吸気通路４０の両側を開放した場合には、汚れた空気５１を一の方向５３に沿って流す場合に比べると、液面のレベル差が生じにくい。このため、バブリングコア３０の導入口３２の高さを変える必要はない。
【００４４】
空気清浄装置１０を厨房に適用した実施形態について説明したが、本発明はこの場合に限定されるものではない。分離液体６０の種類を使用目的に応じて適宜選択することにより、空気清浄装置１０を広範囲の用途に適用することができる。例えば、脱臭装置として使用する場合には、従来公知の脱臭液を供給すれば良く、畜舎あるいは美容院などの使用場所に応じて異なる発生臭気の微粒子を好適に溶解し得る分離液体６０の種類を選択すれば良い。また、消臭システムの一次処理に使用しても効果的である。また、室内の空気清浄器として使用する場合などは、当該分離液体６０を芳香剤として、室内空気に含有される塵埃を除去すると同時に、快適な臭気を室内に供給するように共用化することも可能である。さらに、食品工場などにて使用する場合には、消毒液体を用いて細菌を捕捉するように構成することもできる。
【００４５】
空気清浄装置１０、１１の空気出口２２側にファン１０４を設置してファン１０４の吸引力を利用した実施形態について説明したが、これとは逆に、空気進入口２１側にファン１０４を設置してファン１０４の吐き出し力を利用する形態としても良い。空気清浄装置１０、１１を風道管（ダクト）の入り口、途中、出口のいずれの場所にも設置できることから、施工性に優れたものとなる。
【図面の簡単な説明】
【００４６】
【図１】本発明の空気清浄装置を厨房の排気を清浄するために適用した実施の形態を示す全体構成図である。
【図２】図１に示される空気清浄装置の作動状態を示す正面から見た断面図である。
【図３】図１に示される空気清浄装置の作動状態を示す側面から見た断面図である。
【図４】空気清浄装置を示す斜視図である。
【図５】配列された複数個のバブリングコアを、空気の流れを表す矢印とともに示す斜視図である。
【図６】バブリングコアを示す斜視図である。
【図７】図７（Ａ）（Ｂ）は、バブリングコアを示す上面図および正面図である。
【図８】図８（Ａ）（Ｂ）は、分離液体の液面にレベル差が生じる様子を示す断面図である。
【図９】バブリングコアの導入口の高さが、分離液体の液面が一の方向に沿って高くなるのに応じて高くなっている様子を示す断面図である。
【図１０】他の実施形態にかかる空気清浄装置を示す側面から見た断面図である。
【符号の説明】
【００４７】
１０、１１    空気清浄装置、
２０    フィルタ箱、
２１    空気進入口、
２２    空気出口、
２３    前壁、
２４    上壁、
２７    支持枠、
２８    貫通孔、
２９    後壁、
３０    バブリングコア、
３１    空気通路、
３２    導入口、
３３    導出口、
３４    側壁、
３５    前壁、
３６    ガイドプレート、
３７    間仕切りプレート、
３８    フランジ部、
４０    吸気通路、
４１    吸気口、
５１    汚れた空気、
５２    清浄空気、
５３    一の方向、
６０    水（分離液体）、
７０    多孔部材。
【図１】
2009262068.tif 000003
【図２】
2009262068.tif 000004
【図３】
2009262068.tif 000005
【図４】
2009262068.tif 000006
【図５】
2009262068.tif 000007
【図６】
2009262068.tif 000008
【図７】
2009262068.tif 000009
【図８】
2009262068.tif 000010
【図９】
2009262068.tif 000011
【図１０】
2009262068.tif 000012